(57)【要約】【課題】人的清掃作業をする必要がなく、ローラコンベア周辺の床面に落下した紙粉を迅速に回収できる搬送装置を提供する。【解決手段】自由回転するローラを有するコンベアと、コンベアに付設され、駆動部により移動可能な函押し機構であって、往路・復路を有する無端の周回路に沿って移動する複数の函押しバーを備えたものと、を含む搬送装置において、函押しバーの少なくとも一つに第１清掃具を取付け、ローラコンベアの下方に紙粉の受け板を設置し、第１清掃具は、函押しバーが周回路の往路に沿って移動するとき、ローラコンベアの上面に接し、復路に沿って移動するとき、受け板の上面に接するようにした。【選択図】図１
0003124345.tif 000002
【実用新案登録請求の範囲】
【請求項１】
自由回転するローラを有するコンベアと、該コンベアに付設され、駆動部により移動可能な函押し機構であって、往路・復路を有する無端の周回路に沿って移動する複数の函押しバーを備えたものと、を含む搬送装置において、
前記函押しバーの少なくとも一つに第１清掃具を取付け、
前記ローラコンベアの下方に紙粉の受け板を設置し、
前記第１清掃具は、前記函押しバーが周回路の前記往路に沿って移動するとき、前記ローラコンベアの上面に接し、前記復路に沿って移動するとき、前記受け板の上面に接するようにしたことを特徴とする搬送装置。
【請求項２】
前記第１清掃具を取付けた函押しバーの進行方向に向かって直ぐ後ろの函押しバーに別種の第２清掃具を取付け、
該第２清掃具は、前記函押しバーが周回路の前記往路に沿って移動するとき、前記ローラコンベアの上面に接するようにしたことを特徴とする請求項１に記載の搬送装置。
【請求項３】
前記函押しバーの前記復路の終端に対応する前記受け板の端部に引出し式の紙粉の収容部を設けたことを特徴とする請求項１または２に記載の搬送装置。
【考案の詳細な説明】
【技術分野】
【０００１】
本考案は、自由回転するローラを有するコンベアと、該コンベアに付設され、駆動部により移動可能な函押し機構であって、往路・復路を有する無端の周回路に沿って移動する複数の函押しバーを備えたものと、を含む搬送装置に関する。
【背景技術】
【０００２】
かかる搬送装置は、例えば、全自動封函機の一部として使用され、段ボール函を載せて移動させるローラコンベアであって、該コンベア上で製函し、製函された段ボール函に製品や部品を収納する工程が実施される。さらに、必要に応じて、該コンベア上で封函工程が実施される。
【０００３】
段ボール函２の移動には、図５に例示するような搬送装置１が主に利用されている。この装置１は、一対のレール３１間に自由回転する多数のローラ３２を回転自在に軸支するコンベア３と、駆動部により該コンベア３に沿って移動可能な多数の函押しバー６であって、段ボール函を搬送方向に移動させるためのものを取付けた一対の無端チェーン４と、を備えている。
【０００４】
段ボール函は、長尺な段ボール板材から切断された比較的短尺な段ボール板材に組立てに必要な切込みを入れたものを組立てて製函される。一般に、こうした切断部分や切込み部分には、切子や不十分な切断により生じる切片からなる紙粉が付着していることが多い。また、周りの装置等との擦れを生じた箇所などからも紙粉が発生する。
【０００５】
ローラコンベアは、段ボール函の搬送面に多数の隙間があり、搬送に伴ない振動が発生しやすいので、搬送中振落とされた上記の紙粉がローラ間の隙間を通って床面に落下し、散乱するという状態が生じていた。一方、食品工場においては、一般に、製品への異物混入を未然に防止するために、作業工程の全領域に渡りクリーンな状態を保つことが求められている。
【０００６】
また、製品の函詰工程において、床面に散乱した細かな紙粉は工場内の空気の流れに乗って舞い上がり、製品に付着して函内に入り込んだり、最悪な場合には、製品内に混入する恐れがあった。
【０００７】
さらに、床面に散乱した細かな紙粉が飛散して搬送装置の周囲に設置された他の装置に付着したり、紙粉がローラコンベアに付着して堆積することにより、他の装置やローラコンベアのスムーズな作動の妨げや、故障の原因となる恐れがあった。
【考案の開示】
【考案が解決しようとする課題】
【０００８】
そこで、床面周辺や搬送装置や他の装置を常にクリーンな状態に維持するために、床面に落下したり、各種装置に付着した紙粉を頻繁に清掃しなければならず、煩雑な人的作業が必要とされていた。
【０００９】
本考案は、上記事情に鑑み創出したもので、人的清掃作業をする必要がなく、ローラコンベア周辺の床面に落下した紙粉を迅速に回収できる搬送装置を提供することを目的とする。
【課題を解決するための手段】
【００１０】
上記課題を解決するため、請求項１の考案は、自由回転するローラを有するコンベアと、該コンベアに付設され、駆動部により移動可能な函押し機構であって、往路・復路を有する無端の周回路に沿って移動する複数の函押しバーを備えたものと、を含む搬送装置において、前記函押しバーの少なくとも一つに第１清掃具を取付け、前記ローラコンベアの下方に紙粉の受け板を設置し、  前記第１清掃具は、前記函押しバーが周回路の前記往路に沿って移動するとき、前記ローラコンベアの上面に接し、前記復路に沿って移動するとき、前記受け板の上面に接するようにしたことを特徴とする。
【００１１】
請求項２の考案は、前記第１清掃具を取付けた函押しバーの進行方向に向かって直ぐ後ろの函押しバーに別種の第２清掃具を取付け、該第２清掃具は、前記函押しバーが周回路の前記往路に沿って移動するとき、前記ローラコンベアの上面に接するようにしたことを特徴とする。
【００１２】
請求項３の考案は、前記函押しバーの前記復路の終端に対応する前記受け板の端部に引出し式の紙粉の収容部を設けたことを特徴とする。
【考案の効果】
【００１３】
本考案によれば、函押しバーの少なくとも一つに第１清掃具を取付け、ローラコンベアの下方に紙粉の受け板を設置し、第１清掃具は、函押しバーが周回路の往路に沿って移動するとき、ローラコンベアの上面に接し、復路に沿って移動するとき、受け板の上面に接するようにしたので、受け板上に自然に落下した紙粉や、ローラに付着した紙粉を受け板上に強制的に落下させたものを、函押し機構の作動中、迅速、頻繁、簡便、かつ確実に回収できるので、紙粉の飛散による弊害を未然に防止することができる。
【００１４】
第１清掃具を取付けた函押しバーの進行方向に向かって直ぐ後ろの函押しバーに別種の第２清掃具を取付け、第２清掃具は、函押しバーが周回路の往路に沿って移動するとき、ローラコンベアの上面に接するようにしたので、函押し機構の作動中、ローラに付着して第１清掃具では取除ききれなかった紙粉を直ぐに掻き取ることができ、発生した紙粉の大部分を回収することができると共に、ローラを磨くことができ、ローラコンベア自体を常にクリーンな状態に維持することができる。
【００１５】
函押しバーの復路の終端に対応する受け板の端部に引出し式の紙粉の収容部を設けたので、函押し機構の作動中、受け板の終端に掻き集められた紙粉を容易に搬送装置の外部で回収することができる。
【考案を実施するための最良の形態】
【００１６】
次に、本考案の搬送装置の第一の実施形態を図面に基づき説明する。なお、図１は、第一の実施形態の正面図を示す。
【００１７】
図１に示す搬送装置１は、基本構造に関し、図５に例示する従来装置１と同じであるので、従来装置１と同一箇所には、同一符合を付す。第一の実施形態の搬送装置１は、函押し機構としてチェーン４を使用し、一対のレール３１間に自由回転する多数のローラ３２を回転自在に軸支するコンベア３と、隣接するバー間に段ボール函２が収まる間隔で多数の函押しバー６を取付けた一対の無端チェーン４とからなる（図５参照）。
【００１８】
一対の無端チェーン４は、ローラコンベア３の支持台１２を構成する横フレーム１２１、縦フレーム１２１’の搬送方向の左右・各側において、複数のスプロケット４１を介して支持台１２に配置されている。その際、函押し機構の往路側となる上部の横フレーム１２１には、その前端と後端に各一対のスプロケット４１１が取付けられており、無端チェーン４は、ローラコンベア３よりも高い位置で、前後のスプロケット４１１、４１１間に掛装されている。
【００１９】
搬送方向に関して左右一対のスプロケット４１：４１１：４１２間には、不図示の軸が固定されている。チェーンの駆動部としてモータ５が支持台１２内に設けられている。そのモータ軸５１に設けた駆動ギア５２と、支持台１２内に設けた縦フレーム１２１’に取付けた一対のスプロケット４１２のうち一方のスプロケットのギア４１３とに連結チェーン１３が巻装されている。
【００２０】
モータ５の駆動力は連結チェーン１３とスプロケット４１２のギア４１３を介して一対の無端チェーン４に伝達される。そのため、一対の無端チェーン４間に取付けた各函押しバー６は、モータ５の作動中、ローラコンベア３の上方をローラコンベア３に沿って移動可能であり、ローラコンベア３に載せられる段ボール函２を矢印方向に搬送することができる（図５参照）。
【００２１】
第一の実施形態の搬送装置１では、第１清掃具としてモップ７が、一つの函押しバー６１の後面に一対の無端チェーン４間の幅に渡り、着脱自在に取付けられている。モータ５が作動され、その駆動力が一対の無端チェーン４に伝達され、モップ７を取付けた函押しバー６１がローラコンベア３の上方にくると、モップ７はローラコンベア３の上面３３に接し、ローラ３２の表面を擦るようにされている。これにより、ローラ３２に付着した紙粉を容易に取除くことができる。また、磨耗したり汚れたモップ７を新しいものに容易に交換できる。
【００２２】
支持台１２の底部を構成し、函押し機構の復路側となる下部の横フレーム１２１には、紙粉の受け板８が取付けられている。そして、モップ７を取付けた函押しバー６１が受け板８の上方にくると、モップ７は受け板８の上面８１に接し、受け板８の表面を擦るようにされている。これにより、紙粉は受け板８上に落下するので、落下した紙粉は迅速、確実に回収できる。
【００２３】
なお、図示する実施形態では、函押し機構としてスプロケット４１、４１１、４１２と噛合するチェーン４を使用するが、これに限定されるものではなく、歯車ないしローラと係合するベルトを使用してもよい。また、第１清掃具としてモップ７が取付けられているが、同種の作用を有する清掃具であれば、モップに限定されない。また、モップは一つの函押しバー６１に取付けられるが、二つ以上の函押しバーに取付けてもよく、その場合、受け板８上の紙粉はさらに確実に回収できる。また、受け板８は床面に対し水平に取付けられているが、受け板８の後端部が前端部よりも下方になるように傾斜して取付けてもよく、その場合、支持台１２の振動により受け板８上の紙粉を自然に端部８’方向に移動させることができる（図４(３)参照）。
【００２４】
次に、本考案の搬送装置の第二の実施形態を図面に基づき説明する。なお、図２は、第二の実施形態の正面図を示す。なお、図２に示す搬送装置は、基本構造に関し、図１に示す第一の実施形態のものと同じであるので、第一の実施形態と同一箇所には、同一符合を付す。
【００２５】
図２に示す搬送装置１は、図１に示す第一の実施形態のモップ７を取付けた函押しバー６１の進行方向に向かって直後の函押しバー６２に、第２清掃具としてブラシ１０が着脱自在に取付けられ、ブラシ１０はローラコンベア３の上面３３に接し、ローラ３２の表面を擦るようにされている。これにより、ローラ３２に付着してモップ７では取除ききれなかった紙粉を直ぐに掻き取り、ローラ３２の表面を磨くことができる。また、磨耗したり汚れたブラシ１０を新しいものに容易に交換できる。なお、第２清掃具としてブラシ１０が取付けられているが、同種の作用を有する清掃具であればブラシに限定されない。
【００２６】
次に、本考案の搬送装置の第三の実施形態を図面に基づき説明する。なお、図３は、第三の実施形態の正面図を示し、図４は、第三の実施形態の動作例を示す。また、図３に示す搬送装置は、基本構造に関し、図１に示す第一の実施形態及び図２に示す第二の実施形態のものと同じであるので、第一及び第二の実施形態と同一箇所には、同一符合を付す。
【００２７】
図３に示す搬送装置１は、図２に示す第二の実施形態の受け板８の端部８’に、引出し式の紙粉の収納部として引出し板１１を取付けた。これにより、受け板８の端部８’に掻き集められた紙粉を容易に搬送装置の外部で回収できる。なお、紙粉の収納部として引出し板１１が取付けられているが、引出し皿、引出し箱の形状にしてもよく、その場合、紙粉の回収上有利である。
【００２８】
次に、本考案の搬送装置の動作例を、第三の実施形態の動作例を示す図４に基づき説明する。
【００２９】
図４(１)は、モップ７が取付けられた函押しバー６１とブラシ１０が取付けられた函押しバー６２とがローラコンベア３の中間部の上方にきて矢印方向に進行している状態を示す。図示の紙粉１４は、モップ７が取付けられた函押しバー６１により搬送される不図示の段ボール函から発生し、ローラ３２に付着した紙粉がモップ７により取除かれ、受け板８に向かって強制的に落下させられている状態を示す。
【００３０】
図４(２)は、モップ７が取付けられた函押しバー６１が受け板８の中間部付近の上方にきた状態を示す。丸黒で示す紙粉１４１は、函押しバー６１に取付けられたモップ７が受け板８の表面を右方向から左方向に擦ることにより受け板８の中間部付近に掻き集められた状態を示す。その際、直後の函押しバー６２に取付けられたブラシ１０は、その先端が上方に向いているので、受け板８の上面８１に接していない。
【００３１】
図４(３)は、モップ７が取付けられた函押しバー６１とブラシ１０が取付けられた函押しバー６２とが受け板８の領域を通過し、モップ７が取付けられた函押しバー６１がローラコンベア３の領域の上方にきた状態を示す。掻き集められた紙粉１４１は、受け板８の端部８’に取付けた引出し板１１上に集積されている。集積された紙粉１４２は、引出し板１１を引出すことにより搬送装置１の外部で回収される。
【図面の簡単な説明】
【００３２】
【図１】本考案の第一実施形態の正面図。
【図２】本考案の第二実施形態の正面図。
【図３】本考案の第三実施形態の正面図。
【図４】本考案の第三実施形態の動作例を示し、図４(１)はその正面図、図４          (２)はその縦断面図、図４(３)はその縦断面図。
【図５】従来装置の正面図。
【符号の説明】
【００３３】
１      …搬送装置
２      …段ボール函
３      …ローラコンベア
３１    …レール
３２    …ローラ
３３    …ローラコンベアの上面
４      …無端チェーン
４１、４１１、４１２…スプロケット
４１３  …４１２のギア
５      …モータ
５１    …モータ軸
５２    …駆動ギア
６、６１，６２…函押しバー
７      …モップ
８      …受け板
８１    …８の上面
８’    …８の端部
１０    …ブラシ
１１    …引出し板
１２    …支持台
１２１  …横フレーム
１２１’…縦フレーム
１３    …連結チェーン
１４、１４１、１４２…紙粉
【図１】
0003124345.tif 000003
【図２】
0003124345.tif 000004
【図３】
0003124345.tif 000005
【図４】
0003124345.tif 000006
【図５】
0003124345.tif 000007